(57)【要約】【課題】大きなビルや広い敷地面積を有する施設における入退場管理を、効率的に行うシステムを実現する。【解決手段】１０メートル以上離れた場所へＩＤデータを送信する機能を有するＩＤカードと、アクセス制御機と、在室者検出機と、入退場管理装置等でシステムを構成し、入退場管理装置には、ＩＤデータ毎に、アクセス制御機、在室者検出機へのアクセスの許可、不許可を、個別に設定登録する機能と、不許可のＩＤデータを受信したときに、警報信号を発する機能と、不許可のＩＤデータを受信したときに、そのＩＤデータを送信したアクセス制御機に、出入り口を遮断するよう制御する信号を送る機能とを備えた。また、許可されたＩＤデータを送信してきたときに、そのＩＤデータとともに予め登録した第２のＩＤデータの照合用データを待機させ、アクセス制御機が、第２のＩＤデータを送信してきたことを、その待機中のデータとの照合により確認したときに、その第２のＩＤデータを送信してきたアクセス制御機に、出入り口を開放するよう制御する信号を送る機能を備えた。【選択図】図１
2005258731.tif 000002
【特許請求の範囲】
【請求項１】
ＩＤデータを含む無線信号を発射するＩＤカードと、施設の出入り口に設置され、前記ＩＤカードと交信してＩＤデータを読み込み、そのＩＤデータを入退場管理装置に送る第１アクセス制御機と、施設内の特定エリアの出入り口に設置され、前記ＩＤカードと交信してＩＤデータを読み込み、そのＩＤデータを入退場管理装置に送る第２アクセス制御機と、施設内の特定エリアに設置され、前記ＩＤカードと交信してＩＤデータを読み込み、そのＩＤデータを入退場管理装置に送る在室者検出機と、施設内の特定エリアに設置され、人間の存在を検出し、検知信号を入退場管理装置に送る侵入者検出器と、送られてきた信号を処理する入退場管理装置とで構成される入退場管理システムにおいて、前記入退場管理装置は、ＩＤデータ毎に、第１アクセス制御機、第２アクセス制御機、在室者検出機へのアクセスの許可、不許可を、個別に設定登録する機能と、不許可のＩＤデータを受信したときに、警報信号を発する機能と、不許可のＩＤデータを受信したときに、そのＩＤデータを送信したアクセス制御機に、出入り口を遮断するよう制御する信号を送る機能と、ＩＤデータを送信していない在室者検出機と同じエリアに設置した侵入者検出器から検知信号が送信されてきたときに、警報信号を発する機能と、第１アクセス制御機が、許可されたＩＤデータを送信してきたときに、そのＩＤデータとともに予め登録した第２のＩＤデータの照合用データを待機させ、第１アクセス制御機が、第２のＩＤデータを送信してきたことを、その待機中のデータとの照合により確認したときに、その第２のＩＤデータを送信してきた第１アクセス制御機に、出入り口を開放するよう制御する信号を送る機能と、第２アクセス制御機が、許可されたＩＤデータを送信してきたときに、そのＩＤデータとともに予め登録した第２のＩＤデータの照合用データを待機させ、第２アクセス制御機が、第２のＩＤデータを送信してきたことを、その待機中のデータとの照合により確認したときに、その第２のＩＤデータを送信してきた第２アクセス制御機に、出入り口を開放するよう制御する信号を送る機能とを備えたことを特徴とする入退場管理システム。
【請求項２】
前記ＩＤカードは、ＩＤデータを電波信号に乗せて１０メートル以上離れた場所へ送信する機能と、第２のＩＤデータを、電波信号に乗せて１０メートル未満の距離だけ離れた場所へ送信する機能とを備えたものであり、前記第１アクセス制御機および第２アクセス制御機は、ＩＤデータと第２のＩＤデータを個別に受信し、判別する機能を備えたことを特徴とする請求項１に記載の入退場管理システム。
【請求項３】
前記ＩＤカードは、ＩＤデータを電波信号に乗せて１０メートル以上離れた場所へ送信する機能を備えたものであり、前記第１アクセス制御機および第２アクセス制御機は、ＩＤデータを受信する機能と、第２のＩＤデータとして機能する指紋や顔、虹彩、掌形などのバイオメトリクスデータをもとに本人を認証するバイオメトリクス認証機能を備えたものであり、前記入退場管理装置は、第１アクセス制御機が、許可されたＩＤデータを送信してきたときに、その第１アクセス制御機のバイオメトリクス認証機能を起動させ、予めＩＤデータとともに登録した照合用バイオメトリクス認証データを待機させ、第１アクセス制御機が読み取ったバイオメトリクスデータが、登録したバイオメトリクス認証データと一致することを、その待機中のバイオメトリクス認証データとの照合により確認したときに、一致信号を送信させ、その一致信号を送信してきた第１アクセス制御機に、出入り口を開放するよう制御する信号を送る機能と、第２アクセス制御機が、許可されたＩＤデータを送信してきたときに、その第２アクセス制御機のバイオメトリクス認証機能を起動させ、予めＩＤデータとともに登録した照合用バイオメトリクス認証データを待機させ、第２アクセス制御機が読み取ったバイオメトリクスデータが、登録したバイオメトリクス認証データと一致することを、その待機中のバイオメトリクス認証データとの照合により確認したときに、一致信号を送信させ、その一致信号を送信してきた第２アクセス制御機に、出入り口を開放するよう制御する信号を送る機能とを備えたものであることを特徴とする請求項１に記載の入退場管理システム。
【発明の詳細な説明】
【技術分野】
【０００１】
この発明は、ビルや施設などの入出門（出入り口）を通過する通行人を監視する人監視方法及び、ビルや施設内の人監視システムに関するものである。
【背景技術】
【０００２】
従来の人監視方法及び人監視システムとしては、入室者が身に付けて携帯するＩＣカードと、各管理エリア毎にその部屋の出入り口に配してそこを通過する人の携帯しているＩＣカードの情報を非接触式に読み取る情報読取器と、各情報読取器で収集した情報信号を基にＩＣカード携帯者の人情報、その退出判定、そのときの在室者の管理情報を集計処理する中央処理装置とで構成されるものが存在する（例えば、特許文献１参照。）。そのほか、ＰＨＳ、携帯電話等の移動体端末装置の位置情報を利用し、その移動体端末装置の所有者の入退場管理を自動的に行うシステムも考え出されている（例えば、特許文献２参照。）。
【特許文献１】特開昭６３―２０４３８８号公報
【特許文献２】特開２０００−１８４０６８号公報
【発明の開示】
【発明が解決しようとする課題】
【０００３】
従来のシステムは、各エリア毎にそこを通過する人を、ＩＣカードを用いてチェックするものであり、大きなビルや、広い敷地面積を有する施設では、ＩＣカードの情報を読み取る装置をたくさん設置しなければならなかった。移動体端末装置の位置情報を利用し、その移動体端末装置の所有者の入退場管理を自動的に行うシステムを併用すれば、ＩＣカードの情報を読み取る装置の設置数は減らせるが、利用者は、ＩＣカードの他に、位置情報を発する移動体端末装置を携帯しなくてはならなかった。
【課題を解決するための手段】
【０００４】
本発明は、ＩＤデータを含む無線信号を発射するＩＤカードと、施設の出入り口に設置され、前記ＩＤカードと交信してＩＤデータを読み込み、そのＩＤデータを入退場管理装置に送る第１アクセス制御機と、施設内の特定エリアの出入り口に設置され、前記ＩＤカードと交信してＩＤデータを読み込み、そのＩＤデータを入退場管理装置に送る第２アクセス制御機と、施設内の特定エリアに設置され、前記ＩＤカードと交信してＩＤデータを読み込み、そのＩＤデータを入退場管理装置に送る在室者検出機と、施設内の特定エリアに設置され、人間の存在を検出し、検知信号を入退場管理装置に送る侵入者検出器と、送られてきた信号を処理する入退場管理装置とでシステムを構成した。入退場管理装置には、ＩＤデータ毎に、第１アクセス制御機、第２アクセス制御機、在室者検出機へのアクセスの許可、不許可を、個別に設定登録する機能と、不許可のＩＤデータを受信したときに、警報信号を発する機能と、不許可のＩＤデータを受信したときに、そのＩＤデータを送信したアクセス制御機に、出入り口を遮断するよう制御する信号を送る機能とを備えた。
【０００５】
そして、入退場管理装置には、ＩＤデータを送信していない在室者検出機と同じエリアに設置した侵入者検出器から検知信号が送信されてきたときに、警報信号を発する機能と、第１アクセス制御機が、許可されたＩＤデータを送信してきたときに、そのＩＤデータとともに予め登録した第２のＩＤデータの照合用データを待機させ、第１アクセス制御機が、第２のＩＤデータを送信してきたことを、その待機中のデータとの照合により確認したときに、その第２のＩＤデータを送信してきた第１アクセス制御機に、出入り口を開放するよう制御する信号を送る機能を備えた。さらに、第２アクセス制御機が、許可されたＩＤデータを送信してきたときに、そのＩＤデータとともに予め登録した第２のＩＤデータの照合用データを待機させ、第２アクセス制御機が、第２のＩＤデータを送信してきたことを、その待機中のデータとの照合により確認したときに、その第２のＩＤデータを送信してきた第２アクセス制御機に、出入り口を開放するよう制御する信号を送る機能を備えた。
【０００６】
ＩＤカードには、ＩＤデータを電波信号に乗せて１０メートル以上離れた場所へ送信する機能と、第２のＩＤデータを、電波信号に乗せて１０メートル未満の距離だけ離れた場所へ送信する機能とを備えた。第１アクセス制御機および第２アクセス制御機には、ＩＤデータと第２のＩＤデータを個別に受信し、判別する機能を備えた。第２のＩＤデータには、ＩＤカードから発せられるものの他、指紋や顔、虹彩、掌形などの情報をもとに本人を認証するバイオメトリクス認証データを採用し、その照合時には、許可されたＩＤデータが送信されてきたのを受けて、そのＩＤデータとともに予め登録した第２のＩＤデータの照合用データを待機させ、アクセス制御機が、第２のＩＤデータを送信してきたことを、その待機中のデータとの照合により確認したときに、ＩＤの照合確認が完了したことになるようにした。
【発明の効果】
【０００７】
本発明の入退場管理システムの第１アクセス制御機および第２アクセス制御機には、ＩＤデータと第２のＩＤデータの２つのデータにより本人確認を行う機能を持たせたので、確実性が増す。ＩＤデータと第２のＩＤデータの両方を発信する機能を持ったＩＤカードを採用することにより、利用者は、ＩＤカードを１枚所持するだけで済むようになる。ＩＤデータは、１０メートル以上離れたところから、事前に送信されてくることになり、第２のＩＤデータの照合時には、許可されたＩＤデータが送信されてきたのを受けて、そのＩＤデータとともに予め登録した第２のＩＤデータの照合用データを待機させ、アクセス制御機が、第２のＩＤデータを送信してきたことを、その待機中のデータとの照合により確認したときに、ＩＤの照合確認が完了するようにしたので、照合に要する時間を短縮することができる。特に、顔のデータなどの複雑な認証データを採用し、多数のＩＤデータを登録しておく様な場合、待機中のデータとの照合のみで済み、照合に要する時間を大幅に短縮することができる。第１アクセス制御機、第２アクセス制御機、在室者検出機へのアクセスの許可、不許可を、ＩＤデータ毎に個別に設定登録する機能を備えており、入退場管理装置が、不許可のＩＤデータを受信したときや、ＩＤデータを送信していない在室者検出機と同じエリアに設置した侵入者検出器から検知信号が送信されてきたときに、警報信号を発するようにしたので、登録を抹消されたＩＤカードを所持した人はもちろん、何も所持していない不法侵入者も確実に検出することができる。
【発明を実施するための最良の形態】
【０００８】
図１は、本発明の入退場管理システムの構成を示すブロック図である。１０は第１アクセス制御機、２０は第２アクセス制御機、３０は在室者検出機、４０は侵入者検出器である。１はＩＤカードであり、５０は本システム全体を制御する入退場管理装置である。入退場管理を行う施設の出入り口に第１アクセス制御機１０を、施設内の個別のエリアの出入り口に第２アクセス制御機２０を設置する。施設内のほぼ全面をカバーするように在室者検出機３０、侵入者検出器４０を設置する。入退場管理装置５０は、施設内の設備管理室等の専用のエリア内に設置する。本実施例の説明は、２台の第１アクセス制御機（１１，１２）、２台の第２アクセス制御機（２１，２２）、４台の在室者検出機（３１，３２，３３，３４）、４台の侵入者検出器（４１，４２，４３，４４）と１台の入退場管理装置５０とで構成したシステムについておこなう。
【０００９】
図２は、本発明の入退場管理システムを導入した施設の見取り図である。施設の出入り口Ａには第１アクセス制御機１１が、施設の出入り口Ｂには第１アクセス制御機１２が設置されている。施設内の部屋Ｒ１の出入り口Ｃには、第２アクセス制御機２１が、施設内の部屋Ｒ２の出入り口Ｄには、第２アクセス制御機２２が設置されている。そして、部屋Ｒ１には、在室者検出機３１と侵入者検出器４１が、部屋Ｒ２には、在室者検出機３２と侵入者検出器４２が設置され、共用スペースである廊下Ｆには、在室者検出機３３、３４、３５と侵入者検出器４３、４４、４５がそれぞれ設置されている。施設内の設備管理室Ｒ３には、入退場管理装置５０が設置されている。
【００１０】
入退場管理装置５０には、予め、その施設に入館することを許されている人のＩＤデータを登録する機能が備えられており、ＩＤデータ毎に、第１アクセス制御機１０、第２アクセス制御機２０、在室者検出機３０へのアクセスの許可、不許可が、個別に設定登録されている。本実施例におけるＩＤカード１のＩＤデータに関しては、出入り口Ａ、出入り口Ｂの通過、廊下Ｆの通行、部屋Ｒ１の出入り口Ｃの通過、部屋Ｒ１への入室が許可されているものとする。第１アクセス制御機１０と、第２アクセス制御機２０には、ＩＤカードと交信してＩＤデータを読み込み、そのＩＤデータを入退場管理装置５０に送る機能が組み込まれている。ＩＤカードは、薄型の電池を内蔵しており、常に間欠的にＩＤデータを含む無線信号を発射している。この無線信号は、１０メートル離れた位置にある第１アクセス制御機１０、第２アクセス制御機２０、在室者検出機３０に届くように設定されている。
【００１１】
在室者検出機３０には、ＩＤカードと交信してＩＤデータを読み込み、そのＩＤデータを入退場管理装置５０に送る機能が組み込まれている。個々の在室者検出機には、隣接して設置されている在室者検出機との距離が、近くなり過ぎるような場合に、その受信感度を低下させる機能が設けられており、アクセスの許可を与えられたＩＤカードの位置検出が、正確に行われるようにしてある。在室者検出機としては、アンテナだけを各エリアに設置するようにし、ＩＤデータを読み込む受信機能を入退場管理装置５０側に設けるようにしてもよい。
【００１２】
入退場管理装置５０は、第１アクセス制御機１０、第２アクセス制御機２０から、許可されたＩＤデータを送信してきたときに、そのＩＤデータとともに予め登録した第２のＩＤデータの照合用データを待機させ、第１アクセス制御機１０、第２アクセス制御機２０が、第２のＩＤデータを送信してきたことを、その待機中のデータとの照合により確認したときに、その第２のＩＤデータを送信してきたアクセス制御機に、出入り口を開放するよう制御する信号を送る。第１アクセス制御機１０、第２アクセス制御機２０は、制御対象となる扉の開閉制御（施錠、開錠）を行う機能を備えており、入退場管理装置５０からの制御信号に従い、各出入り口の扉の開閉制御を行う。出入り口を開放するよう制御する信号が送られてくるまでは、扉は閉じられ、施錠されている。入退場管理装置５０は、不許可のＩＤデータを受信したときに、警報信号を発する。また、ＩＤデータを送信していない在室者検出機と同じエリアに設置した侵入者検出器から検知信号が送信されてきたときにも、警報信号を発する。
【００１３】
ＩＤカード１を所持した利用者が、この入退場管理システムを導入した施設に入るときの動きを、順を追って説明する。出入り口Ａにこの利用者が近づくと、第１アクセス制御機１１が、ＩＤカード１から発射されているＩＤデータを含む無線信号を受信する。そして、ＩＤデータを読み込み、そのＩＤデータを入退場管理装置に送る。入退場管理装置５０は、送られてきたＩＤデータが、予め登録されているデータと一致しているかどうかを判断し、一致している場合には、そのＩＤデータとともに予め登録した第２のＩＤデータの照合用データを待機させる。利用者が更に出入り口Ａに近づくと、利用者が所持している第２のＩＤデータを発射するＩＤカードが、第１アクセス制御機１１に近づく。第２のＩＤデータは、１０メートル未満の近距離にしか届かないように設定されており、第１アクセス制御機１１は、利用者が出入り口Ａに接近するまでこの第２のＩＤデータを受信することはない。利用者が出入り口Ａに達すると、第１アクセス制御機１１が、この第２のＩＤデータを読み込み、そのＩＤデータを入退場管理装置５０に送る。入退場管理装置５０は、送信してきたデータを、その待機中のデータとの照合により確認し、予め登録されているデータと一致していると判断し、その第２のＩＤデータを送信してきた第１アクセス制御機１１に、出入り口Ａを開放する制御信号を送る。利用者が所持しているＩＤカードの２つのＩＤデータは、出入り口Ａの通過が許可されているので、利用者は施設内に入館することができる。
【００１４】
利用者が、出入り口Ａを通過し部屋Ｒ１を目指して歩いて行くと、廊下Ｆに設置した在室者検出機３４が、ＩＤカード１から発射されているＩＤデータを含む無線信号を受信する。そして、ＩＤデータを読み込み、そのＩＤデータを入退場管理装置５０に送る。入退場管理装置５０は、送られてきたＩＤデータが、予め登録されているデータと一致しているかどうかを判断する。ＩＤカード１のＩＤデータは、廊下Ｆの通行が許可されているので、入退場管理装置５０は、警報信号を発することはない。必要に応じて、ＩＤカード１の所在位置を、グラフィックパネル（図示省略）上に表示させるようにしてもよい。在室者検出機３４が、ＩＤカード１から発射されているＩＤデータを含む無線信号を受信するのと同時に、侵入者検出器４４が、検知信号を入退場管理装置５０に送る。入退場管理装置５０は、ＩＤデータを送信してきた在室者検出機３４と同じエリアに設置した侵入者検出器４４からの検知信号であるので、警報信号は発しない。
【００１５】
利用者が、さらに部屋Ｒ１を目指して歩いていくと、在室者検出機３５が、ＩＤカード１から発射されているＩＤデータを含む無線信号を受信する。その後は、在室者検出機３５は在室者検出機３４と同様に、侵入者検出器４４は侵入者検出器４３と同様に動作する。ＩＤカード１のＩＤデータは、廊下Ｆの通行が許可されているので、入退場管理装置５０は、警報信号を発することはない。部屋Ｒ１の出入り口Ｃにこの利用者が近づくと、第２アクセス制御機２１が、ＩＤカード１から発射されているＩＤデータを含む無線信号を受信する。そして、ＩＤデータを読み込み、そのＩＤデータを入退場管理装置５０に送る。入退場管理装置５０は、送られてきたＩＤデータが、予め登録されているデータと一致しているかどうかを判断し、一致している場合には、そのＩＤデータとともに予め登録した第２のＩＤデータの照合用データを待機させる。利用者が更に出入り口Ｃに近づくと、利用者が所持している第２のＩＤデータを発射するＩＤカードが、第２アクセス制御機２１に近づく。第２のＩＤデータは、１０メートル未満の近距離にしか届かないように設定されており、第２アクセス制御機２１は、利用者が出入り口Ｃに接近するまでこの第２のＩＤデータを受信することはない。利用者が出入り口Ｃに達すると、第２アクセス制御機２１が、この第２のＩＤデータを読み込み、そのＩＤデータを入退場管理装置５０に送る。入退場管理装置５０は、送信してきたデータを、その待機中のデータとの照合により確認し、予め登録されているデータと一致していると判断し、その第２のＩＤデータを送信してきた第２アクセス制御機２１に、出入り口を開放する制御信号を送る。利用者が所持しているＩＤカードの２つのＩＤデータは、出入り口Ｃの通過が許可されているので、利用者は部屋Ｒ１に入室することができる。
【００１６】
利用者が、部屋Ｒ１内に入ると、在室者検出機３１が、ＩＤカード１から発射されているＩＤデータを含む無線信号を受信する。そして、ＩＤデータを読み込み、そのＩＤデータを入退場管理装置５０に送る。入退場管理装置５０は、送られてきたＩＤデータが、予め登録されているデータと一致しているかどうかを判断する。ＩＤカード１のＩＤデータは、部屋Ｒ１への入室が許可されているので、入退場管理装置５０は、警報信号を発することはない。必要に応じて、ＩＤカード１の所在位置を、グラフィックパネル（図示省略）上に表示させるようにしてもよい。在室者検出機３１が、ＩＤカード１から発射されているＩＤデータを含む無線信号を受信すると、ほぼ同時に、侵入者検出器４１が、検知信号を入退場管理装置５０に送る。入退場管理装置５０は、ＩＤデータを送信してきた在室者検出機３１と同じエリアに設置した侵入者検出器４１からの検知信号であるので、警報信号は発しない。
【００１７】
ＩＤカード１のＩＤデータは、廊下Ｆに設置された在室者検出機３３、３４、３５へのアクセスが許可されおり、利用者は、部屋Ｒ１を出て、廊下Ｆを歩き、部屋Ｒ２の出入り口Ｄの前までは行くことができるが、部屋Ｒ２内への入室は許可されていないので、入ることはできない。第２アクセス制御機２２は、ＩＤカード１から発射されているＩＤデータを含む無線信号を受信するが、扉を閉じ、施錠された状態を維持する。ＩＤカード１のＩＤデータは、第２アクセス制御機２２へのアクセスは許可されていないので、入退場管理装置５０は、ＩＤカード１のＩＤデータを受信すると、警報信号を発する。ただ、施設内での各エリアのアクセス許可は、在室者検出機３０に対して個別に設定されているので、第１アクセス制御機１０、第２アクセス制御機２０に関しては、許可されていないＩＤカードのデータを受信したときに、直ちに警報を発する必要性はない。この考えに基づき、第１アクセス制御機１０、第２アクセス制御機２０に関しては、許可されていないＩＤカードのデータを受信したときには、警報信号を発しないように設定しておいてもよい。もともと、このＩＤカード１を持った利用者は、施設内の部屋Ｒ１のみを利用するだけであるので、在室者検出機３３へ近づく必要性はない。このような場合は、廊下Ｆのうち、在室者検出機３３の周辺への接近を拒否するように設定しておくことが可能となる。予め、在室者検出機３３へのアクセスの不許可を、個別に設定登録しておき、その状態で、在室者検出機３３が、ＩＤカード１から発射されているＩＤデータを含む無線信号を受信すると、そのＩＤデータを読み込み、入退場管理装置５０に送る。入退場管理装置５０は、送られてきたＩＤデータが、予め登録されているデータと一致しているかどうかを判断する。ＩＤカード１のＩＤデータは、廊下Ｆの通行は許可されているが、在室者検出機３３への接近は許可されていないので、入退場管理装置５０は、警報信号を発することになる。
【００１８】
利用者が所持している第２のＩＤデータを発射するＩＤカードを、ＩＤデータを電波信号に乗せて１０メートル以上離れた場所へ送信するＩＤカードと一体化したものとしておくと、２枚のカードを携帯する必要がなくなる。第２のＩＤデータとして、指紋や顔、虹彩、掌形などの情報をもとに本人を認証するバイオメトリクス認証データを採用してもよい。その照合時には、許可されたＩＤデータが送信されてきたのを受けて、そのＩＤデータとともに予め登録した第２のＩＤデータの照合用データを待機させ、アクセス制御機が、第２のＩＤデータを送信してきたことを、その待機中のデータとの照合により確認したときに、ＩＤの照合確認が完了するようにする。この場合、利用者は第２のＩＤデータを発射するＩＤカードを携帯する必要はなくなり、ＩＤデータを電波信号に乗せて１０メートル以上離れた場所へ送信するＩＤカード１枚を携帯するだけでよい。第２のＩＤデータの容量が多少増えても、入退場管理装置５０に登録された全登録データの中から一致するものを選び出す必要性がなくなるので、照合時間が短縮される。
【００１９】
第１アクセス制御機１１が、ＩＤデータを受信する機能と、第２のＩＤデータとして顔のバイオメトリクスデータをもとに本人を認証する機能を備えている場合について、その動きを説明する。出入り口Ａにこの利用者が近づくと、第１アクセス制御機１１が、ＩＤカード１から発射されているＩＤデータを含む無線信号を受信する。そして、ＩＤデータを読み込み、そのＩＤデータを入退場管理装置に送る。入退場管理装置５０は、送られてきたＩＤデータが、予め登録されているデータと一致しているかどうかを判断し、一致している場合には、そのＩＤデータとともに予め登録した第２のＩＤデータの照合用データとしての顔の特徴を記録したデータを待機させる。そして、その第１アクセス制御機１１のバイオメトリクス認証機能としての顔面撮影装置を起動させる。利用者が出入り口Ａに達し、顔面撮影装置の前に立つと、第１アクセス制御機１１が、この利用者の顔面データを読み込み、そのデータを入退場管理装置５０に送る。入退場管理装置５０は、第１アクセス制御機１１が読み取った顔面データが、登録した顔の特徴を記録したデータ（バイオメトリクス認証データ）と一致することを、その待機中のバイオメトリクス認証データとの照合により確認したときに、一致信号を送信させ、その顔面データを送信してきた第１アクセス制御機１１に、出入り口を開放するよう制御する信号を送る。バイオメトリクス認証機能が、指紋照合機能である場合は、指紋読み取り装置が、虹彩照合機能である場合は、虹彩読み取り装置が、掌の模様の照合機能である場合は、掌のデータ読み取り装置が、それぞれ第１アクセス制御機１１の第２のＩＤデータ読み取り装置として採用されることになる。
【００２０】
本発明の入退場管理システムは、ＩＤデータの二重チェックを採用し、しかも、その照合時間の短縮を実現したので、利用者の多い、高層ビルや広大な複合施設などで、高いセキュリティ機能を発揮することができる。不審者を発見すると直ちに警報信号を発し、その場所も特定されるので、監視カメラのシステムを併設したシステムを組めばさらに管理機能が増す。その場合は、不審者のいる現場の状況をモニターし、必要に応じ警備員を、そこに急行させたりするといったことが可能となり、セキュリティシステムとして、運用面での応用範囲も大幅に広がる。
【図面の簡単な説明】
【００２１】
【図１】本発明の入退場管理システムの構成を示すブロック図である。
【図２】本発明の入退場管理システムを導入した施設の見取り図である。
【符号の説明】
【００２２】
１・・・ＩＤカード
１０・・・第１アクセス制御機
２０・・・第２アクセス制御機
３０・・・在室者検出機
４０・・・侵入者検出器
５０・・・入退場管理装置
Ａ・・・施設の出入り口
Ｂ・・・施設の出入り口
Ｃ・・・部屋Ｒ１の出入り口
Ｄ・・・部屋Ｒ２の出入り口
Ｆ・・・廊下
Ｒ１・・・部屋
Ｒ２・・・部屋
Ｒ３・・・設備管理室
【図１】
2005258731.tif 000003
【図２】
2005258731.tif 000004